(57)【要約】【課題】干渉縞の発生を抑えることができるマイクロレンズアレイを製造でき、さらに、バリの発生を抑制でき、かつ、短時間で所望の深さの凹曲面を形成することができる、金型の製造方法、および、この製造方法によって製造された金型を用いたマイクロレンズアレイの製造方法を提供する。【解決手段】マイクロレンズアレイの成型のための金型が保持台の載置面上に載置され、金型をエンドミルで切削することによって複数の凹曲面がそれぞれ形成される、金型の製造方法であって、エンドミルは、その中心軸を中心に回転しながら金型を切削し、中心軸に対する、載置面に直交する軸を中心とした載置面の周方向の配置角度と、載置面に対する中心軸の角度との組合せが２つ以上あり、複数の凹曲面の形成ごとに組み合わせのいずれかが選択される。【選択図】図１
2018043444.tif 000002
【特許請求の範囲】
【請求項１】
マイクロレンズアレイの成型のための金型が保持台の載置面上に載置され、前記金型をエンドミルで切削することによって複数の凹曲面がそれぞれ形成される、金型の製造方法であって、
前記エンドミルは、その中心軸を中心に回転しながら前記金型を切削し、
前記中心軸に対する、前記載置面に直交する軸を中心とした前記載置面の周方向の配置角度と、前記載置面に対する前記中心軸の角度との組合せが２つ以上あり、
前記複数の凹曲面の形成ごとに前記組み合わせのいずれかが選択されることを特徴とする金型の製造方法。
【請求項２】
前記保持台は、前記載置面に直交する回動軸を中心に回動可能であり、
前記回動軸を中心とした前記載置面の周方向の配置角度と、前記載置面に対する前記中心軸の角度との組合せを２つ以上設定したことを特徴とする請求項１に記載の金型の製造方法。
【請求項３】
前記複数の凹曲面の形成において前記載置面に対する前記中心軸は傾きをもって設定され、また一定であり、
前記組み合わせは、前記中心軸に対する、前記載置面に直交する軸を中心とした前記載置面の周方向の２つ以上の配置角度として設定されることを特徴とする請求項２に記載の金型の製造方法。
【請求項４】
前記複数の凹曲面の形成において前記配置角度は一定であり、
前記組み合わせは、前記載置面に対する、２つ以上の前記中心軸の角度として設定されることを特徴とする請求項２に記載の金型の製造方法。
【請求項５】
前記中心軸の延長線の金型への交差位置を、凹曲面を形成する対象領域から外したことを特徴とする請求項３に記載の金型の製造方法。
【請求項６】
請求項１から請求項３のいずれか１項に記載の金型の製造方法によって製造された金型に対して成形材料を射出し、前記複数の凹曲面に対応する複数のマイクロレンズを有するマイクロレンズアレイを成型することを特徴とするマイクロレンズアレイの製造方法。
【発明の詳細な説明】
【技術分野】
【０００１】
本発明は、マイクロレンズアレイの成型のための金型の製造方法、および、この製造方法によって製造された金型を用いたマイクロレンズアレイの製造方法に関する。
【背景技術】
【０００２】
特許文献１に記載の転写成形用金型加工法は、レンズアレイ状の光学部材を転写形成する際に使用する金型の加工法であって、直線又は曲線に沿って配置される凹曲面を順に同一方向に切削し、一の直線又は曲線に沿って配置された凹曲面を切削する方向が、その凹曲面付近のほかの凹曲面の少なくとも一部の切削方向と異なるようにしている。これによって、すじ状の目視欠陥を抑止した上で複数の凹曲面からなるレンズアレイ状の凹曲面を有する高精度な金型加工が可能となり、この金型を用いて形成されるレンズアレイ状の光学部材を画像表示装置に適用すると、従来の加工法による光学部材を適用した場合と比較して、表示画像における干渉縞（モアレ）の発生を抑えることができるとしている。
【先行技術文献】
【特許文献】
【０００３】
【特許文献１】特開２００７−０２５０９０号公報
【発明の概要】
【発明が解決しようとする課題】
【０００４】
しかしながら、特許文献１に記載の転写成形用金型加工法では、表面が平坦な金型母材に対し、凹曲面の配置方向に沿った直線又は曲線に沿ってバイトを移動させ、また同時に上下動させることによって切削を行っている。そして、切削する形状に応じてバイトを移動させ所望の凹曲面形状とするが、バイトが金属母材から離間する際に、切削物が基材から容易に分離されないため、金型母材表面付近でバリが発生しやすい。バリが発生した金型を用いてレンズアレイ状の光学部材を転写形成すると、光学部材を所望の形状に精度よく製造することが困難となる。なお、このバリは、凹曲面の間隔が小さく、隣り合う凹曲面間に稜線状の剛性の低い部分がある場合には切削物が基材から分離しにくいので顕著に発生しやすくなる。
【０００５】
また、バイトを用いた加工では１回の移動における切削量が小さいため、所望の深さに至るまで移動と切削を複数回繰り返さなければならない。さらに、特許文献１に記載の転写成形用金型加工法では、一つの直線または曲線に沿って配置された凹曲面を切削する方向が、その凹曲面付近のほかの凹曲面の少なくとも一部の切削方向と異なるようにしているため、所望の深さを得るための繰り返しの移動を行うと加工時間が一層増大してしまうという問題がある。
【０００６】
そこで本発明は、干渉縞の発生を抑えることができるマイクロレンズアレイを製造でき、さらに、バリの発生を抑制でき、かつ、短時間で所望の深さの凹曲面を有した金型を形成することができる、金型の製造方法、または、この製造方法によって製造された金型を用いたマイクロレンズアレイの製造方法を提供することを目的とする。
【課題を解決するための手段】
【０００７】
上記課題を解決するために、本発明の金型の製造方法は、マイクロレンズアレイの成型のための金型が保持台の載置面上に載置され、金型をエンドミルで切削することによって複数の凹曲面がそれぞれ形成される、金型の製造方法であって、エンドミルは、その中心軸を中心に回転しながら金型を切削し、中心軸に対する、載置面に直交する軸を中心とした載置面の周方向の配置角度と、載置面に対する中心軸の角度との組合せが２つ以上あり、複数の凹曲面の形成ごとに組み合わせのいずれかが選択されることを特徴としている。
【０００８】
これにより、エンドミルによる切削痕の向きが一定の方向に揃うことを防ぐことが容易に可能となるため、この金型で製造したマイクロレンズアレイを用いたときに干渉縞が発生することを抑えることができる。また、エンドミルを用いて切削するため、バリが発生しづらくなることから、所望の形状のマイクロレンズアレイを精度よく成型することができ、また、バイトのように繰り返し切削する必要がないため、短時間で所望の深さの凹曲面を形成することができる。
【０００９】
本発明の金型の製造方法において、保持台は、載置面に直交する回動軸を中心に回動可能であり、回動軸を中心とした載置面の周方向の配置角度と、載置面に対する中心軸の角度との組合せを２つ以上設定するのが好ましい。
このように、保持台を回転させる駆動制御を行えばすむため、制御における負担を非常に減少でき、金型製造の速度を上げることができる。
【００１０】
本発明の金型の製造方法において、複数の凹曲面の形成において載置面に対する中心軸は傾きをもって設定され、また一定であり、組み合わせは、中心軸に対する、載置面に直交する軸を中心とした載置面の周方向の２つ以上の配置角度として設定されることが好ましい。
このように、保持台を回転させる駆動制御を行って２つ以上の角度を設定するので、制御における負担を非常に減少でき、金型製造の速度を上げることができる。
【００１１】
本発明の金型の製造方法では、複数の凹曲面の形成において配置角度は一定であり、組み合わせは、載置面に対する、２つ以上の中心軸の角度として設定されることが好ましい。
これにより、エンドミルの駆動制御を行えばすむため、制御における負担を減少でき、金型製造の速度を上げることができる。
【００１２】
本発明の金型の製造方法では、中心軸の延長線の金型への交差位置を、凹曲面を形成する対象領域から外すことが好ましい。
これにより、点状の切削痕が生じにくくなり、この金型を用いた形成したレンズに点状の影が発生することを防止できる。
【００１３】
本発明のマイクロレンズアレイの製造方法は、上記のいずれか１つの金型の製造方法によって製造された金型に対して成形材料を射出し、複数の凹曲面に対応する複数のマイクロレンズを有するマイクロレンズアレイを成型することを特徴としている。
これにより、干渉縞が発生しづらいマイクロレンズアレイを精度よく製造することができる。
【発明の効果】
【００１４】
本発明によると、干渉縞の発生を抑えることができるマイクロレンズアレイを製造でき、さらに、バリの発生を抑制でき、かつ、短時間で所望の深さの凹曲面を有した金型を形成することができる。
【図面の簡単な説明】
【００１５】
【図１】本発明の実施形態における金型製造装置の概略構成を示す斜視図である。
【図２】本発明の実施形態における保持台の構成を示す平面図である。
【図３】本発明の実施形態においてエンドミルが回動して保持台の載置面に対する角度が変化する状態を示す側面図である。
【図４】本発明の実施形態における保持台と金型との位置関係を示す平面図である。
【図５】本発明の実施形態における保持台を回動させたときの状態を示す平面図である。
【図６】（Ａ）は凹曲面形成時の金型に対するエンドミルの先端部の配置および移動方向を概念的に示す側面図、（Ｂ）は切削痕が形成された凹曲面を示す平面図である。
【図７】実際に形成された凹曲面および切削痕を示す顕微鏡写真である。
【図８】（Ａ）は、保持台の回動角度を１２０°としたときの凹曲面および切削痕を示す平面図、（Ｂ）は保持台の回動角度を０°としたときの凹曲面および切削痕を示す平面図、（Ｃ）は保持台の回動角度を２４０°としたときの凹曲面および切削痕を示す平面図である。
【発明を実施するための形態】
【００１６】
以下、本発明の実施形態に係る、金型の製造方法およびマイクロレンズアレイの製造方法について図面を参照しつつ詳しく説明する。
図１は、本実施形態で用いる金型製造装置１０の概略構成を示す斜視図である。図２は、保持台２０の構成を示す平面図である。図３は、エンドミル３０が回動して保持台２０の載置面２１に対する角度が変化する状態を示す側面図である。図４は、保持台２０と金型４０との位置関係を示す平面図である。図５は、保持台２０を回動させたときの状態を示す平面図であり、図５（Ａ）は０°の状態、図５（Ｂ）は（Ａ）に示す０°の状態から平面視で時計回りに１２０°回動させた状態、図５（Ｃ）は０°の状態から平面視で時計回りに２４０°（反時計回りに１２０°）回動させた状態を示す。
各図には、基準座標としてＸ−Ｙ−Ｚ座標が示されている。Ｚ方向は鉛直方向であって、Ｘ−Ｙ面はＺ方向と垂直な面である。Ｚ方向に沿って見た状態を平面視ということがある。
【００１７】
図１に示すように、金型製造装置１０は、装置の基部（不図示）に対して鉛直方向に延びるように設けられた固定部１１と、固定部１１に支持された、ステージ１２および回動支持部材１３とを備えている。
【００１８】
ステージ１２は、駆動部（不図示）によって、ＸＹＺの３方向のそれぞれに沿って移動可能となるように固定部１１に支持されている。このステージ１２上には、Ｚ方向に沿った回動軸２０ｘ（図３）を中心として回動可能とされた、平面視円形の保持台２０が配置されている。保持台２０の上面である載置面２１は、Ｘ−Ｙ面に沿うように配置され、上記回動軸２０ｘは載置面２１の平面の中心で直交する。この載置面２１上には、図示を省略した吸着手段等により、加工の対象となる金型４０が固定される（図３、図４）。以上の構成により、保持台２０および保持台２０上の金型４０は、ステージ１２の移動によってＸＹＺの３方向に沿って移動可能となり、さらに、保持台２０上の金型４０は、保持台２０の回動によって上記回動軸２０ｘを中心として所望の角度位置まで回動可能となる。
なお、ステージ１２と保持台２０は別々に形成したが、これに限定されず、例えば、ステージ１２を回転だけではなくＸＹ方向にも移動可能とした既存のＸＹＺ回転ステージを用いることもできる。
【００１９】
回動支持部材１３はＸ軸に沿った軸１３ｘを中心としたＲ方向（図１、図３）に沿って回動可能となるように固定部１１によって支持されている。この回動支持部材１３には、上記軸１３ｘに直交する方向に中心軸３０ｘが延びるようにエンドミル３０が固定されている。エンドミル３０は、回動支持部材１３の回動にしたがって軸１３ｘを中心に回動し、これによりエンドミル３０の中心軸３０ｘはＹＺ面上で傾いて該ＹＺ面内で回動する。ここで該中心軸３０ｘを含むＹＺ面が載置面２１と交差する位置を、載置面２１の周方向の配置角度の基準となる０°位置とする（図１参照）。
なお、回動支持部材１３の形態はこれに限定されず、例えば、Ｙ軸に沿った軸を中心として回動するようにしてもよい。
【００２０】
エンドミル３０は、回動支持部材１３に固定された本体部３１と、本体部３１から中心軸３０ｘに沿って延びる切削軸部３２とを備え、切削軸部３２は中心軸３０ｘを中心に回転し、これにより切削軸部３２の球状の先端部３２ａ（図６）に設けられた複数の刃部と接触した対象物を球面などの曲面状に切削する。
【００２１】
エンドミルとしては、ボールエンドミルが用いられ、金型４０の表面には球面である凹曲面が形成される。完全な球面ではなく用途に応じてラグビーボール形状などの球面形状とすることもできる、
【００２２】
本発明の実施例における金型製造装置１０では、回動軸２０ｘを中心とする保持台２０の回動角度（配置角度）と、回動軸２０ｘに対する中心軸３０ｘの傾斜角度との組み合わせが２つ以上設定され、金型４０の被加工面４０ａ上に複数の凹曲面を形成する際に、各凹曲面に対して上記組み合わせのいずれかが選択される。保持台２０の回動角度としては、例えば、図２に示すような、０°、１２０°、２４０°（−１２０°）という３つの角度があり、１２０°は保持台２０を平面視において時計回りに回動させた角度であり、２４０°（−１２０°）は時計回りに２４０°（反時計回りに１２０°）回動させた角度である。なお、配置角度の設定は保持台２０を回転させる方法だけでなく、保持台２０を固定とし、回動軸２０ｘを中心とし固定部１１が回転するようにしても良い。要は金型４０と後述するエンドミル３０の周方向の配置関係が所定の関係となれば、どちら或いは両方が回転しても良い。
【００２３】
また、回動軸２０ｘに対する中心軸３０ｘの傾斜角度としては、例えば、図３に示すように、０°、３０°、−３０°という３つの角度があり、３０°はＸ方向に沿って見たときに反時計回りに回動させた角度（図３の状態３０ａ）であり、−３０°は時計回りに回動させた角度（図３の状態３０ｂ）である。
【００２４】
ここで、回動軸２０ｘを中心とする保持台２０の回動角度と、回動軸２０ｘに対する中心軸３０ｘの傾斜角度は、上述の例に限定されない。また中心軸３０ｘを一定として載置面２１を傾けてもよく、相対的に中心軸３０ｘと載置面２１が所定の角度を成すようにすれば良い。
【００２５】
次に第１の実施例について説明する。該第１の実施例においては、回動軸２０ｘに対する中心軸３０ｘの傾斜角度として３０°とし、保持台２０を３つの角度位置に回転させて、それぞれの凹曲面を加工する例である。
図４に示すように、平面視円形の保持台２０の載置面２１上には平面視矩形の金型４０が固定されており、金型４０の平面中心４０ｘと、保持台２０の平面中心である回動軸２０ｘとが互いに一致するように配置される。図４に示す例は金型４０の加工後の形状を示すが、この金型４０の被加工面４０ａ上には、エンドミル３０によってＺ方向下側へ凹んだ凹曲面が形成される３つの六角形パターン４１、４２、４３が形成されており、これらの３つのパターン４１、４２、４３は、同じパターンが隣り合わないように互い違いに配置されている。なおここでパターンとは、切削によって形成される切削痕のパターンを示し、同じパターンとは切削痕の向きが同じ事を意味するが詳細は後述する。そして、例えば、金型４０の平面中心４０ｘを通り、Ｙ方向に沿った、線Ｌ１を金型４０上に設定した場合、線Ｌ１上において、図４の左側から右側へ第２のパターン４２、第１のパターン４１、第３のパターン４３が順に繰り返し配置されている。そして、３つのパターン４１、４２、４３は、エンドミル３０によって切削されるときのＸ−Ｙ面内における金型４０の向きが互いに異なる。この金型４０の向きは、保持台２０を回動軸２０ｘを中心として回動させることによって変更される。
【００２６】
具体的には、第１のパターン４１は、保持台２０の回動角度を０°（初期位置）として加工する。第２のパターン４２では、図５（Ｂ）に示すように線Ｌ１は０°のときに対して、保持台２０および金型４０を時計回りに１２０°回動した位置となる。また、第３のパターン４３では、図５（Ｃ）に示すように線Ｌ１は０°のときに対して反時計回りに１２０°回動した位置となる。そしてそれぞれ保持台２０の角度において、中心軸３０ｘの傾斜角度として３０°で一定であり図８で示す切削痕が形成される。なお、このときの中心軸３０ｘのＺ方向から見た際の向きを図５の矢印Ｄで示し、保持台２０の回動角度が０°（初期位置）においては、その方向と同じであり、後述する図９（Ｂ）で示す切削痕Ｈ２が形成される。
【００２７】
ここで、凹曲面の形成方法についてより詳細に説明する。図６（Ａ）は、凹曲面形成時の金型４０に対するエンドミル３０の先端部３２ａの配置および移動方向を概念的に示す側面図、（Ｂ）は切削痕Ｈが形成された凹曲面を示す平面図である。図７は、実際に形成された凹曲面および切削痕を示す顕微鏡写真である。図８（Ａ）は、保持台２０の回動角度を１２０°としたときの凹曲面および切削痕を示す平面図、（Ｂ）は保持台２０の回動角度を０°としたときの凹曲面および切削痕を示す平面図、（Ｃ）は保持台２０の回動角度を２４０°としたときの凹曲面および切削痕を示す平面図である。
【００２８】
図６（Ａ）、（Ｂ）を参照して、金型４０の被加工面４０ａの対象領域４０ｂに凹曲面を形成する例について説明する。
図６（Ａ）に示すように、エンドミル３０は、その中心軸３０ｘの延長線が対象領域４０ｂから外れた位置Ｐ１で凹曲面を形成完了後の被加工面４０ａと交差するように本実施例においては前述したように３０°の角度で配置される。エンドミル３０は、中心軸３０ｘを中心として回転した状態で、Ｚ方向に沿って対象領域４０ｂ側へ下降され、中心軸３０ｘに沿った方向に移動させることによって、対象領域４０ｂを所望の凹曲面に切削する。
なお、凹曲面の形成においては、エンドミル３０をＺ方向に沿って下降させるのではなく、保持台２０を上昇させるようにしてもよい。また、中心軸３０ｘの延長上に移動するようにしても良い。
【００２９】
こうして形成された凹曲面においては、図６（Ｂ）に示すように、交差位置Ｐ１を中心とした同心円状に複数の切削痕Ｈが形成される。しかしながら、中心軸３０ｘの延長線が凹曲面を形成加工する対象領域４０ｂから、加工中に常に外れた状態となる位置からエンドミル３０を下降させて切削しているため、点状の切削痕が生じにくくなり、この金型を用いた形成したレンズに点状の影が発生することを防止できる。なお、これは中心軸３０ｘの傾斜角度を３０度としているからであるが、これに限定されず、対象領域４０ｂから外れた状態となる傾斜角度とするのが好ましい。更には、傾斜角度が載置面２１に対して垂直となっていなければ良く、垂直となっていなければ、保持台２０を１２０，２４０度などに回転させて加工するので切削痕の方向が変えることが出来る。
【００３０】
そして、図５（Ａ）に示すように保持台２０の回転角度を変えず、ＸＹ方向への平行移動をおこなって、図４のパターン４１に相当する箇所の加工を行う。
その後、保持台２０を図５（Ｂ）に示すように１２０°回転させ、保持台２０ＸＹ方向への平行移動をおこなって、図４のパターン４２に相当する箇所の加工を行う。
その後、保持台２０を図５（Ｃ）に示すように更に１２０°回転させ合計２４０度回転させ、保持台２０をＸＹ方向への平行移動をおこなって、図４のパターン４３に相当する箇所の加工を行う。
そして、半球の一部がオーバーラップするように加工され、また、間隔を適切に設定することによって、図４に示すように６角形の縁をもった３つのパターンを持つレンズアレイ加工用の金型が形成される。
【００３１】
そして、このように形成した凹曲面には、図７、図８（Ａ）、（Ｂ）、（Ｃ）に示すように切削痕Ｈ、Ｈ１、Ｈ２、Ｈ３がそれぞれ形成されている。図８（Ａ）は、保持台２０を１２０°回動して切削したときの同心円状の切削痕Ｈ１を示しており、切削痕Ｈ１の方向は、その同心円の中心Ａ１をとおり、凹曲面Ｓ１内における切削痕Ｈ１の周方向の中点を結ぶ線Ｂ１の延びる方向となる。図８（Ｂ）は、保持台２０を回動せずに切削したときの同心円状の切削痕Ｈ２を示しており、切削痕Ｈ２の方向は、その同心円の中心Ａ２をとおり、凹曲面Ｓ２内における切削痕Ｈ２の周方向の中点を結ぶ線Ｂ２の延びる方向となる。図８（Ｃ）は、保持台２０を２４０°回動して切削したときの同心円状の切削痕Ｈ３を示しており、切削痕Ｈ３の方向は、その同心円の中心Ａ３をとおり、凹曲面Ｓ３内における切削痕Ｈ３の周方向の中点を結ぶ線Ｂ３の延びる方向となる。ここで、切削痕Ｈ１、Ｈ２、Ｈ３の方向は、Ｚ方向から見たときに、切削時の切削軸部３２の中心軸３０ｘが延びる方向（図５のＤ方向）と一致する。
【００３２】
なお、切削痕が全く無ければ、干渉縞（モアレ）の問題は無いが、実際には、切削の場合には数十ナノメータのオーダの凹凸の切削痕が形成されてしまう。本実施例に拠れば、切削によって切削痕が出来てしまうが、切削痕の向きを変えることで干渉縞の発生を抑えることが出来る。
【００３３】
本実施形態においては、保持台２０の回動軸２０ｘに対するエンドミル３０の中心軸３０ｘの角度は一定角度、例えば３０°に固定しており、図５（Ａ）、（Ｂ）、（Ｃ）に示すようなＹ方向に平行な方向Ｄに沿ったＹＺ面上で傾いている。一方、保持台２０の回動角度は、３つのパターン４１、４２、４３のそれぞれを切削して凹曲面を形成するたびに、３つのパターンに対応した角度に変更される。これによって、被加工面４０ａ上の３つのパターンに対して凹曲面をそれぞれ形成するときに、回動軸２０ｘを中心とする保持台２０の回動角度と、回動軸２０ｘに対する中心軸３０ｘの角度とが３つの組み合わせから選択される。
【００３４】
以上のように３０の中心軸３０ｘの角度と保持台２０の回動角度を設定してエンドミル３０によって切削を行った結果、金型４０の被加工面４０ａ上には、パターン４１、４２、４３に対応して、平面視六角形状の凹曲面が複数並んで形成される。これらの凹曲面は、マイクロレンズアレイを構成する複数のマイクロレンズの凸曲面に対応する形状、ピッチを有しており、金型４０はマイクロレンズアレイの成型のための金型となる。この金型に対して、プラスチック、ガラスその他の成形材料を射出して成型すると、被加工面４０ａ上の複数の凹曲面に対応する、複数の凸曲面を有するマイクロレンズを複数有するマイクロレンズアレイが形成される。
【００３５】
以上のように構成されたことから、上記実施形態によれば、次の効果を奏する。
（１）エンドミル３０による切削痕の向きが３つのパターン４１〜４３に対応する３方向となり、かつ、同じ向きが隣り合わないように配置されている。このため、この金型４０を用いて成型したマイクロレンズアレイを、光学装置、例えばヘッドアップディスプレイ装置に用いた場合、マイクロレンズアレイにおいて干渉縞が発生しづらくなることから、高精度の光学性能を発揮させることが可能となる。
【００３６】
（２）エンドミル３０は中心軸３０ｘを中心とした回転運動によって切削を行うものであり、従来のバイトのように一定の方向の移動によって切削を行うものではないため、バリが発生しづらくなるため、金型の凹曲面形状を精度よく実現することが可能となり、この金型を用いて成型したマイクロレンズアレイにおいてもマイクロレンズを所望の形状とすることができる。また、回転運動による加工は、従来のバイトのような水平移動による切削に比べて簡単に加工を行うことができる。
【００３７】
（３）エンドミル３０を用いることにより、従来の金型加工方法で用いたバイトのように繰り返し切削する必要がないため、短時間で所望の深さの凹曲面を形成することができる。
【００３８】
以下に変形例について説明する。
上記実施形態においては、エンドミル３０の傾斜角度を固定し、金型４０上の３つのパターンに応じて保持台２０の回動角度を変えていたが、保持台２０を固定してエンドミル３０の傾斜角度を３つ設定してもよい。また、エンドミル３０の傾斜角度と保持台２０の回動角度の両方について複数の角度をそれぞれ設定してもよい。金型４０上のパターンの種類の数は、エンドミル３０の傾斜角度の設定数と保持台２０の回動角度の設定数を互いに乗じた数となる。この数は、上記実施形態では３であったが、２でもよく、４以上であってもよい。
【００３９】
上記実施形態では、金型４０上の３つのパターンが互いに隣り合わないように配置されていたが、一部において同じパターンが隣り合うような配置としてもよい。ただし、図４に示すような配列において、Ｘ方向、Ｙ方向、および、矩形状の金型４０の対角線方向において、同じパターンだけが並ぶ配置は避けることが好ましい。
また、上記実施形態のように、複数のパターンを規則正しく配置するのではなく、ランダムに配置することもできる。
【００４０】
また、本実施例においてはエンドミルとしては、ボールエンドミルを用いているのでレンズを形成する球面形状の切削をする際に、軸線方向あるいはＺ方向に移動させるだけでよく制御が簡単である。ただし、Ｄ方向とＺ方向の移動を組み合わせてエンドミルの外周面が円弧を移動するようにして球面を加工することも可能であり、その場合は、フラットエンドミル、ラフィングエンドミル、ラジアスエンドミルなどを用いることも可能である。
本発明について上記実施形態を参照しつつ説明したが、本発明は上記実施形態に限定されるものではなく、改良の目的または本発明の思想の範囲内において改良または変更が可能である。
【産業上の利用可能性】
【００４１】
以上のように、本発明に係る金型の製造方法およびマイクロレンズアレイの製造方法は、干渉縞の発生を抑えることができるマイクロレンズアレイを提供できるだけでなく、マイクロレンズに対応する凹曲面を短時間で精度よく形成できる点で有用である。
【符号の説明】
【００４２】
１０    金型製造装置
１１    固定部
１２    ステージ
１３    回動支持部材
１３ｘ  軸
２０    保持台
２１    載置面
３０    エンドミル
３０ｘ  中心軸
３１    本体部
３２    切削軸部
４０    金型
４０ａ  被加工面
４１、４２、４３  パターン
【図１】
2018043444.tif 000003
【図２】
2018043444.tif 000004
【図３】
2018043444.tif 000005
【図４】
2018043444.tif 000006
【図５】
2018043444.tif 000007
【図６】
2018043444.tif 000008
【図７】
2018043444.tif 000009
【図８】
2018043444.tif 000010